(57)【要約】【課題】目や鼻孔を布片で覆っても周囲の状況を視認可能で呼吸も苦しくならず、洗髪の際の飛び散った液体が目や鼻にかからないようにしたフェイスマスクを提供する。【解決手段】２枚の略半円形状の覆片１、２を内端縁部１０１、２０１側を重合させて全体として略楕円形となるように全周縁を縫着している。仰向けの顔面に載せると、重合部３が拡開して周囲の状況を感じ取ることが可能で、鼻呼吸の妨げにもならない。【選択図】図１
2020130983.tif 000002
【特許請求の範囲】
【請求項１】
対となる覆片の内端縁部所定同幅を上下に重合し、この重合部の長さ方向における両端は縫着されて対となる覆片が一体化され、一体化した２枚の覆片は展開すると顔面全体を被覆可能な大きさを有し、
仰向けの顔面に載置すると、顔面形状に対応して覆片は重合部より外側部分が下傾し重合部が拡開するようにしたことを特徴とするフェイスマスク。
【請求項２】
上記重合部が、仰向けの顔面に覆うと両目を結ぶ線上に設けられたことを特徴とする請求項１に記載のフェイスマスク。
【請求項３】
上記重合部が、仰向けの顔面に覆うと両鼻孔を結ぶ線上に設けられたことを特徴とする請求項１に記載のフェイスマスク。
【発明の詳細な説明】
【技術分野】
【０００１】  本発明は仰向け状態の顔面に載せて使用する多目的のフェイスマスクに関し、詳しくは美容或は理容の業界で仰向け状態で洗髪等する際に顔面に載置し、若しくは整体業界等で施術者の吐息が被施術者にかからないように顔面に載置し、若しくはエステテック業界でオイルや美容液等を含浸させてパックをするために顔面に載置して使用するフェイスマスクに関する。
【背景技術】
【０００２】  美容院等では仰向け状態で洗髪サービスを行う場合、顔面に水やシャンプー剤等がかからないように長方形に折り畳まれた乾いたタオルを目及び鼻孔部分を覆って眉から顎に亘り載置し、飛び散った水等を顔面上のタオルで吸水するようにし、顔面に直接液体が付かないようにすることが一般的であった。この方法であると、被施術者は折り畳まれ厚みを有するタオルで目を覆われ光を感じることができず周囲の状況を把握できず不安になり、また、鼻部分に重量を感じ呼吸が苦しくなることがあった。一方、施術者は、使用済みのタオルを洗濯乾燥後、次の使用のために所定形状に折り畳む作業をする必要性があり手間を要し、タオルの保管場所にも広いスペースを必要としていた。
従来、顔から首までを連続して覆うことのできる縦幅と、顔幅と略同じ長さの横幅を有する縦方向に長い略矩形状の複数枚の綿布が重合されてなるマスク本体に、鼻が露出する通気孔を開設したものが提案されている（例えば、特許文献１参照）。
特許文献１に開示のマスクであると、人の顔面に載せる場合に正確に孔を鼻に合致させなければならず、載置中に位置ずれが生じると頬等に孔部分が位置し、マスク本来の使用目的を果たせない場合がある。又、厚みを有する綿布で目を覆うため、被施術者は光を感じることができにくく、その結果、施術者がどの位置に居て何をしているのかを把握しにくく不安を感じる場合があるという問題点があった。
顔面を覆うに足る大きさの吸水紙或は布を用いて、鼻相当部分にコ字形切込みを設けたマスクが提案されている（例えば、特許文献２参照）。
特許文献２に開示のマスクも、コ字形切込みの下辺部分が鼻孔に位置するように正確に被施術者の顔面に当てなければならず、特にマスクに液体を含浸させて顔面に当接する場合は、僅かな位置ずれが鼻孔を塞ぎ呼吸の妨げとなり危険であるという問題点があった。
仰向けの顔面を覆う大きさのマスクに鼻孔に対応する部分に切り抜き部を開設し、口に対応する部分はネットを張設してなるマウスガード部を設けたフェイスガードが提案されている（例えば、特許文献３参照）。
特許文献３に開示のフェイスガードであると、鼻対応部分に開口を有するため吸気を妨げず、口対応部分はネットを張設しているので、吐息でマスクの内面が湿気ることがないという長所がある。しかし、顔面に載置して使用すると、視野が確保されず、また、顔面に飛散した液体がマウスガード部の網目を容易に通過して直接口に落下し口内に入るおそれがあり、フェイスマスクとしての機能を充分に果たさない。又、フェイスガードにオイルや美容液を含浸して顔面に載置すると、乾燥しやすい口周りにはオイル等が付着せず、美容上の目的を達成しない。さらに、ポリエステル等の１枚の布地を切込みの多い形状に裁断し、三角形状や図５の図中符号３４で示す複雑な形状に切り抜かれた部分にネット地を張設して縫着しなければならず、フェイスガード製造工程が煩雑で製造時間が長時間化し、また、部品点数の多さよりコスト高を招来するという問題点があった。
タオルを材料とするフェイスタオルとしては、正面視が上下方向に長い略長方形状タオル織物の左右両端縁に正面視が外方にかけて幅広なＶ状の切縁を有する切目を対設し、タオル織物の略中央には横幅を略２分する線上に鼻出し用切れ目を設け、鼻出し用切れ目の下端は鼻頭部を出すための開口部と連続して設け、仰向けの顔面に鼻稜線部を鼻出し用切れ目から外部に露出し、且つ、鼻孔を開口部から露出して載置するようにした主として蒸しタオルとして使用するフェイスタオルが提案されている（例えば、特許文献４参照）。
特許文献４に開示のフェイスタオルであると、瞼上にもフェイスタオルが載置され、周囲を視認できず、施術中に不安感を感じる場合が生じることがある。鼻は外部に出ているので、フェイスタオルに含浸させた美容液等が鼻には付着されない。又、特許文献４に開示のフェイスタオルを仰向け状態での洗髪のときに顔面に載置すると、鼻全体が露出しているので、飛び散った液体を遮るものがなく、直接鼻に落下するおそれがあるという問題点があった。
口と額を除き眉から鼻下の位置に亘り覆うものとして、形状が略同一の２枚の大きい扇形布と、これら２枚の布より小面積の小さい扇形布の合計３枚の布を用い、夫々の布の角部は一体的に縫着して頂部とし、側縁と別の扇形布の側縁を互いに縫着して稜線とし、角頂部内側面が鼻から浮いた状態で顔面を被覆するようにしたものが提案されている（例えば、特許文献５参照）。
特許文献５に開示の被覆布は鼻が布に接触しないので、使用者は不衛生感を感じず、口が塞がれないので会話ができるという長所がある。しかし、口部分には覆うものがないため洗髪の際に飛び散った液体が唇や会話中の開けた口内に入るおそれがある。又、目が塞がれているため、使用者は施術者が何をしているのか視認できず不安感を感じるという問題点があった。
美容液を含浸させ美容液と不織布の吸着力で一定時間顔面に貼り付け、美容液が蒸発して乾燥すると顔面より剥すフェイスマスクが提案されている（例えば、特許文献６又は７参照）。
特許文献６又は７に示されるマスクは１枚の不織布を材料とし顔面に密着する用途に使用し、１回限りの使用に供するもので再使用はできない。特許文献６又は７に示される形状をタオル織物のような肉厚な織物を用いて製造すると仮定すると、目および鼻孔部分は開口しているので洗髪で飛び散る液体が目や鼻に直接落下し、洗髪用の顔面覆いとしての目的は果たさない、又、形状が複雑であるため縫製作業が煩雑で製造コスト高を招来するという問題点がある。
【先行技術文献】
【特許文献】
【０００３】
【特許文献１】実用新案登録第３１２６４８３号の登録実用新案公報
【特許文献２】実開昭５５−４８４６１号公報
【特許文献３】特開２０１２−８１２３３号公報
【特許文献４】特開２００２−３１５６２８号公報
【特許文献５】実開平６−５８８１６号公報
【特許文献６】意匠登録第１６１７０４９号の意匠公報
【特許文献７】意匠登録第１６１６６３３号の意匠公報
【発明の概要】
【発明が解決しようとする課題】
【０００４】  本発明は目や鼻孔を布片で覆っても周囲の状況を視認可能で呼吸も苦しくならず、又、洗髪の際の飛び散った液体が目や鼻にかからないようにし、しかも単純な構造であるので製造工程が単純で低コスト化を図り得るフェイスマスクを提供することを目的とする。
【課題を解決するための手段】
【０００５】  上記目的を達成するために本願発明のうち請求項１に記載の発明は、対となる覆片の内端縁部所定同幅を上下に重合し、この重合部の長さ方向における両端は縫着されて対となる覆片が一体化され、一体化した２枚の覆片は展開すると顔面全体を被覆可能な大きさを有し、仰向けの顔面に載置すると、顔面形状に対応して覆片は重合部より外側部分が下傾し重合部が拡開するようにしたことを特徴とする。
請求項２に記載の発明は、上記請求項１に記載のフェイスマスクの重合部が、仰向けの顔面に覆うと両目を結ぶ線上に設けられたことを特徴とする。
請求項３に記載の発明は、上記請求項１に記載のフェイスマスクの重合部が、仰向けの顔面に覆うと両鼻孔を結ぶ線上に設けられたことを特徴とする。
【発明の効果】
【０００６】  対となる覆片の内端縁部を互いに上下に重ね合わせた重合部を設け、重合部の長さ方向両端を固着しているので、仰向けの顔面に載置すると顔面側方が下傾している形状に応じて重合部が拡開し、この拡開部分から光が入る込み周囲の状況を把握でき、鼻呼吸も妨げられないという効果がある。
使用中に重合部が拡開するので、従来のように特別に鼻部分をくり抜く作業を必要とせず、製造作業が簡単で、結果的に低コスト化を実現できるという効果がある。
【図面の簡単な説明】
【０００７】
【図１】フェイスマスクの正面図である。（実施例１）
【図２】フェイスマスクの平面図である。（実施例１）
【図３】フェイスマスクの底面図である。（実施例１）
【図４】フェイスマスクの右側面図である。（実施例１）
【図５】図１のＡ−Ａ線断面図である。（実施例１）
【図６】フェイスマスクの斜視図である。（実施例１）
【図７】使用状態を示す参考図である。（実施例１）
【図８】フェイスマスクの断面図である。（実施例２）
【図９】フェイスマスクの正面図である。（実施例３）
【図１０】フェイスマスクの正面図である。（実施例４）
【図１１】使用状態を示す参考図である。（実施例４）
【発明を実施するための形態】
【０００８】  本願発明は２枚の覆片の対向内端縁部を所定重合幅を有して上下に重合し、この重合部の長さ方向両端部に於いて２枚の覆片を上下に縫着して固着することで、仰向けの顔面に載置すると外側縁部が下方向に移動して重合部が拡開し、全顔面を被覆した状態で周囲の状況をとらえることができると共に、楽な鼻呼吸を確保できることを実現した。
【実施例１】
【０００９】  図１〜図７を参照にして実施例１を説明する。覆片１、２は、吸水性、柔軟性及び耐洗濯性を有する材料よりなる。具体的には、タオル織物を材料とすることが好適である。タオル織物は、綿糸を材料とし、表面又は／及び裏面にパイルが形成されているので、保温性、吸水性、耐洗濯性及び肌触りの良さに優れているためである。覆片１、２は、直線部と弧状部を有する正面視が略半円形状に形成され、直線部は内端縁部１０１、２０１として、解れ止め目的のメロー縫いの縁かがりが施されている。覆片２の内端縁部２０１は、覆片１の下面側に於いて覆片１の内端縁部１０１から覆片１の弧状部側に位置に配設され、所定同幅の重合部３を設けている。重合部３の重合幅は限定しないが、２．５ｃｍ〜４．０ｃｍ程度が顔面に載置した場合に拡開しやすく、約３．０ｃｍ程度であることが好適である。覆片１、２の内端縁部１０１、２０１の長さは、人の髪の生え際から顎下に亘る長さよりも長く設定されている。具体的数値は、使用者の年齢、性別により異なる。重合部３を介して覆片１、２を展開した状態で、左右横幅は、仰向け状態の人の顔面を左右耳の裏側の髪の生え際近傍に亘る範囲までも覆う長さに設定されている。覆片１と覆片２は重合部３を含んで、全周縁が例えばバイアステープ等のテープ４で包み込まれて縫着され、展開状態で通常の人の顔面全体を覆う鼻筋方向に長辺が位置する略楕円形に形成されている。１７は縫い目である。具体例として、約２５．０ｃｍの直線部の中央部から直線部と直交する距離が約１４、５ｃｍの略半円形状の２枚の同一形状覆片１、２を、約３．０ｃｍの重合幅の重合部３を有して、展開状態で鼻筋方向に延びる長辺が約２６．０ｃｍで、両耳方向に延びる短辺が２５．０ｃｍ程度の縦長な楕円形に配設され、全周縁がバイアスのテープ４で包まれて縫着しているものが考えられる。【００１０】  実施例１のフェイスマスクは、仰向けの顔面に載置して使用するものである。仰向けの顔面は鼻頭が最も高く、重合部３を鼻筋に沿って載置すると、顔面形状に対応して覆片１、２は外側になるに従い下傾し、覆片１、２の左右側縁は下向きになる。重合部３は、覆片１、２の自重により拡開する。内端縁部１０１、２０１は起きあがり、覆片１、２のうち内端縁部１０１、２０１の近傍部分で、シャンプーの際の飛び散る水等が顔面に直接落下しないようにガードしている。重合部３が拡開することで、内端縁部１０１と内端縁部２０１との間の隙間より使用者は周囲の状況や光を感じることができる。又、鼻や口は重合部３の拡開部分より露呈し、呼吸が楽にでき、会話を妨げない。
実施例１のフェイスマスクにオイルや美容液を含浸させて仰向けの顔面に載置すると、覆片１、２の繊維にオイルや液体が吸収され、長時間顔面に油分や美容成分を供給できるという効果がある。又、唇や鼻筋部分の皮膚にオイル等を付着させたい場合は、指で覆片１、２のうち内端縁部１０１、２０１の近傍部分を鼻に押し当てると、オイル等を含浸された繊維の吸着力で覆片１、２は鼻に付着する。覆片１、２がタオル織物を材料としていると、保温性が高く、また、オイルや美容液の保持状態も長時間であり、長時間の施術が可能になる。
【実施例２】
【００１１】  図８を参照にして実施例２を説明する。図１〜図７に示される実施例１と異なる点は、覆片５、６が二重である点である。覆片５、６は、夫々楕円形の織物を長辺を折り目として２つ折りに折り畳み、山折りの折り目を内端縁部にしている。覆片６の内端縁部は、覆片５の内端縁部より覆片５の弧状部側へ約３ｃｍの重合幅を以って覆片５の下面に重ね合わせている。覆片５、６の全周縁はバイアステープ等のテープ７で包み込まれて縫着されている。
実施例２では、覆片５、６を織物を２重にしたものを用いているが、内端縁部が解れ止め処理をしていれば、３重以上であってもよく、又、折り畳まれた織物の内側に吸水性部材若しくは保冷剤若しくは保温剤を配設し、保冷時間若しくは保温時間を一層長くすることも考えられる。
又、折られて夫々の覆片５、６になる楕円形の織物の折り目を中心とし折り目から相対する夫々の弧状部側を夫々異なる色彩にし、上面と下面になる面を同じ色彩の面にすることで、リバーシブルにすることができる。
実施例２では１枚の楕円形の織物を折り目を中心として折り畳んだものを１の覆片にしているものについて説明したが、２枚の略半円形同一形状の織物を上下に重合して１の覆片とし、対となる覆片を夫々直線部側を重合させて全周縁をテープで縫着したフェイスマスクも本願発明に包含されるものである。２枚の同一形状の上側の織物と下側の織物を上下に重合配設して１の覆片とすることで、上側の織物と下側の織物の内端縁部を上下方向に開口可能な保冷剤や保温剤の出し入れ口とし、夫々の覆片の内側に保冷剤等を出し入れ自在にすることができる。覆片がタオル織物を材料とすると、タオル織物の繊維が密でないことや糸が太いこと、及びパイルの存在等で、保冷剤や保温剤の温度が間接的に皮膚に伝達され、また、冷却若しくは保温の時間が長時間保持されるという効果がある。
【実施例３】
【００１２】  図９を参照にして実施例３を説明する。覆片８、９は、高吸水性、高柔軟性及び耐洗濯性を有する材料、例えばタオル織物を材料とし、正面視が縦長の略長方形状に形成されている。縦方向の長さは、人の鼻筋上に於いて額の髪の生え際から顎下より首側に亘る長さに設定されている。横方向の長さは、人の両耳の裏側間に亘る長さの約１／２に設定されている。覆片８、９の内端縁部８０１、９０１はメロー縫等の解れ止め処理がされている。覆片８の下面には、覆片９の内端縁部９０１が約３ｃｍ程度入り込んで上下に重ね合わされて重合部１０を設けている。重合部１０の両端を含めて、覆片８、９の全周はテープ１１で包み込まれて縫着されている。
【実施例４】
【００１３】  図１０を参照にして実施例４を説明する。覆片１２、１３は、高吸水性、耐洗濯性、高柔軟性及び高肌触り性を有するタオル織物等を材料とし、直線部と弧状部とよりなる正面視が略半円形状に形成されている。覆片１２、１３の直線部は、内端縁部１２１、１３１としメロー縫い等の解れ止め処理が施されている。内端縁部１２１と内端縁部１３１は、縦方向に約３．０ｃｍ程度の重合幅を有する重合部１４を設けている。重合部１４を含めて覆片１２、１３の全周はテープ１５で包まれて縫着処理がされている。重合部１４を含めて覆片１２、１３を展開状態で、縦方向長さは、人の全顔面を覆う長さに設定され、横方向長さは人の両耳の裏側間に亘り覆うことができる長さに設定されている。
図１１に示すように、重合部１４を両鼻孔１６、１６を結ぶ線上に一致させてフェイスマスクを顔面に載置する。覆片１２は額側へ、覆片１３は首側へ僅かばかり移動し、重合部１４は拡開する。重合部１４の拡開した隙間より鼻孔１６が露出して鼻呼吸は妨げられない。目は拡開部分から入り込む光を感じることができる。【００１４】  上記実施例１〜４に示されるフェイスマスクの上面又は下面に保冷剤や保温剤を収納ポケットを設けることも考えられる。
【符号の説明】
【００１５】  １、２、５、６、８、９、１２、１３  覆片
１０１、２０１、８０１、９０１、１２１、１３１  内端縁部
３、１０、１４  重合部
１６  鼻孔
【図１】
2020130983.tif 000003
【図２】
2020130983.tif 000004
【図３】
2020130983.tif 000005
【図４】
2020130983.tif 000006
【図５】
2020130983.tif 000007
【図６】
2020130983.tif 000008
【図７】
2020130983.tif 000009
【図８】
2020130983.tif 000010
【図９】
2020130983.tif 000011
【図１０】
2020130983.tif 000012
【図１１】
2020130983.tif 000013
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
対となる同一形状の覆片の内端縁部を２．５〜４．０ｃｍの重合同幅を以って上下に重合し、この重合部の長さ方向における両端は縫着されて対となる覆片が一体化され、一体化した２枚の覆片は展開すると顔面全体を被覆可能な大きさを有し、
仰向けの顔面に載置すると、顔面形状に対応して覆片は重合部より外側部分が下傾し重合部が拡開可能に、一体化した２枚の覆片の全周縁はテープで包み込まれて縫着されていることを特徴とするフェイスマスク。
【手続補正２】
【補正対象書類名】明細書
【補正対象項目名】０００５
【補正方法】変更
【補正の内容】
【０００５】  上記目的を達成するために本願発明のうち請求項１に記載の発明は、対となる同一形状の覆片の内端縁部を２．５〜４．０ｃｍの重合同幅を以って上下に重合し、この重合部の長さ方向における両端は縫着されて対となる覆片が一体化され、一体化した２枚の覆片は展開すると顔面全体を被覆可能な大きさを有し、仰向けの顔面に載置すると、顔面形状に対応して覆片は重合部より外側部分が下傾し重合部が拡開可能に、一体化した２枚の覆片の全周縁はテープで包み込まれて縫着されていることを特徴とする。